(57)【要約】【課題】製函用糊を用いることなく製造することがきて食品を収納するのに適していて、かつ、短時間に製造を行うことができる紙製容器とその製造方法を提供する。【解決手段】紙製容器５は、熱可塑性の樹脂によりコーティングされたブランクにより形成され、側面部１４と接続部２０、２２及び側面部１８と接続部２４、２６とは、加熱により樹脂を溶着することにより接着されている。樹脂としては、ポリブチレンテレフタレートや、ポリエチレンテレフタレートが好ましい。【選択図】図１
2008201423.tif 000002
【特許請求の範囲】
【請求項１】
紙製容器であって、
該紙製容器が、表側の面と裏側の面とが熱可塑性の樹脂によりコーティングされたブランクにより形成され、
該紙製容器が、該ブランクを構成する一方の部分と、該ブランクを構成する他方の部分とを接着することにより組み立てられ、該一方の部分と他方の部分とは、ブランクにコーティングされた樹脂を溶着することにより接着されていることを特徴とする紙製容器。
【請求項２】
紙製容器であって、
該紙製容器が、表側の面と裏側の面とが熱可塑性の樹脂によりコーティングされたブランクにより形成され、
少なくとも、底面部と、該底面部の各辺から折れ線を介して立ち上がる複数の側面部と、側面部の隣り合う側縁部間に連設された折込み片部とを有し、
折込み片部を側面部に接着することにより隣り合う側面部同士を連結するよう形成され、
該折込み片部と側面部とは、ブランクにコーティングされた樹脂を溶着することにより接着されていることを特徴とする紙製容器。
【請求項３】
樹脂を加熱して溶解した後に、溶解した樹脂を固化させることにより、樹脂の溶着がされていることを特徴とする請求項１又は２に記載の紙製容器。
【請求項４】
上記樹脂が、ポリブチレンテレフタレート又はポリエチレンテレフタレートであることを特徴とする請求項１又は２又は３に記載の紙製容器。
【請求項５】
紙製容器を構成するブランクは、両面段ボール材により構成されていることを特徴とする請求項１又は２又は３又は４に記載の紙製容器。
【請求項６】
紙製容器の製造方法であって、
表側の面と裏側の面とが樹脂によりコーティングされたシート状部材を形成するシート状部材形成工程と、
該シート状部材を用いて紙製容器の展開状態のブランクを形成するブランク形成工程と、
該ブランクを構成する一方の部分と、該ブランクを構成する他方の部分とを接着することにより組み立てる接着工程で、該一方の部分と他方の部分とを、ブランクにコーティングされた樹脂を溶着することにより接着する接着工程と、
を有することを特徴とする紙製容器の製造方法。
【請求項７】
上記接着工程において、樹脂を加熱して溶解した後に、溶解した樹脂を固化させることにより、樹脂を溶着することを特徴とする請求項６に記載の紙製容器の製造方法。
【請求項８】
上記樹脂が、ポリブチレンテレフタレート又はポリエチレンテレフタレートであることを特徴とする請求項６又は７に記載の紙製容器の製造方法。
【請求項９】
上記シート状部材が、両面段ボール材により構成されていることを特徴とする請求項６又は７又は８に記載の紙製容器の製造方法。
【発明の詳細な説明】
【技術分野】
【０００１】
本発明は、紙製容器とその製造方法に関するものであり、特に、食品を入れるのに適した紙製容器とその製造方法に関するものである。
【背景技術】
【０００２】
従来より、紙製容器においては、１枚のブランクにより構成され、該ブランクを組み立てて容器状に形成するものが存在する。そのような紙製容器においては、ブランクの一部（例えば、糊代部分）に接着剤（具体的には、製函用糊）を塗布して、容器状に組み立てるものが存在する。
【０００３】
なお、食品容器に用いる紙製包装容器として、出願人は、特許文献１に示す出願を知得している。
【特許文献１】特開２００４−１２３２３０号公報
【発明の開示】
【発明が解決しようとする課題】
【０００４】
しかし、製函用糊により接着を行って容器を組み立てる場合には、該製函用糊が容器の別の部分（例えば、内部）に付着してしまうおそれがあり、食品収納用に用いると、食品の熱で製函用糊が溶けてしまって、食品内に製函用糊が混ざってしまうおそれがあるという問題があった。
【０００５】
また、製函用糊は臭いがあるため、紙製容器を食品収納用に用いると、食品の風味を損なうおそれがあった。
【０００６】
また、製函用糊により容器の接着を行う場合には、製函用糊の乾燥は自然乾燥による場合が一般的であり、乾燥に時間が掛かり、紙製容器の製造に時間が掛かるという問題があった。
【０００７】
そこで、本発明は、紙製容器であって、製函用糊を用いることなく製造することがきて食品を収納するのに適していて、かつ、短時間に製造を行うことができる紙製容器とその製造方法を提供することを目的とするものである。
【課題を解決するための手段】
【０００８】
本発明は上記問題点を解決するために創作されたものであって、第１には、紙製容器であって、該紙製容器が、表側の面と裏側の面とが熱可塑性の樹脂によりコーティングされたブランクにより形成され、該紙製容器が、該ブランクを構成する一方の部分と、該ブランクを構成する他方の部分とを接着することにより組み立てられ、該一方の部分と他方の部分とは、ブランクにコーティングされた樹脂を溶着することにより接着されていることを特徴とする。
【０００９】
この第１の構成の紙製容器においては、ブランクを構成する一方の部分と他方の部分とを接着する際に製函用糊を使用しなくてもよいので、食品を収納した場合でも、食品内に製函用糊が混ざるおそれがなく、また、製函用糊の臭いにより食品の風味を損なうことがない。また、コーティングされた樹脂を溶着することにより接着されているので、乾燥時間を要せず紙製容器の製造時間を短くすることができる。またブランクの表側の面と裏側の面とが樹脂によりコーティングされているので、耐水性を得ることができ、食品を収納するのに適している。
【００１０】
また、第２には、紙製容器であって、該紙製容器が、表側の面と裏側の面とが熱可塑性の樹脂によりコーティングされたブランクにより形成され、少なくとも、底面部と、該底面部の各辺から折れ線を介して立ち上がる複数の側面部と、側面部の隣り合う側縁部間に連設された折込み片部とを有し、折込み片部を側面部に接着することにより隣り合う側面部同士を連結するよう形成され、該折込み片部と側面部とは、ブランクにコーティングされた樹脂を溶着することにより接着されていることを特徴とする。
【００１１】
この第２の構成の紙製容器においては、折込み片部と側面部とを接着する際に製函用糊を使用しなくてもよいので、食品を収納した場合でも、食品内に製函用糊が混ざることがなく、また、製函用糊の臭いにより食品の風味を損なうことがない。また、コーティングされた樹脂を溶着することにより接着されているので、乾燥時間を要せず紙製容器の製造時間を短くすることができる。またブランクの表側の面と裏側の面とが樹脂によりコーティングされているので、耐水性を得ることができ、食品を収納するのに適している。
【００１２】
また、第３には、上記第１又は第２の構成において、樹脂を加熱して溶解した後に、溶解した樹脂を固化させることにより、樹脂の溶着がされていることを特徴とする。
【００１３】
また、第４には、上記第１から第３までのいずれかの構成において、上記樹脂が、ポリブチレンテレフタレート又はポリエチレンテレフタレートであることを特徴とする。よって、ポリブチレンテレフタレートやポリエチレンテレフタレートは、融点が高いので、温度の高い食品を収納した場合や電子レンジに使用した場合でも、樹脂が溶融することがなく、よって、食品に混ざったり食品の風味を損なうことがなく、また、接着部分が外れることがない。
【００１４】
また、第５には、上記第１から第４までのいずれかの構成において、紙製容器を構成するブランクは、両面段ボール材により構成されていることを特徴とする。よって、保温機能を得ることができ、紙製容器５内の食品の保温を行なうことができる。
【００１５】
また、第６には、紙製容器の製造方法であって、
表側の面と裏側の面とが樹脂によりコーティングされたシート状部材を形成するシート状部材形成工程と、
該シート状部材を用いて紙製容器の展開状態のブランクを形成するブランク形成工程と、
該ブランクを構成する一方の部分と、該ブランクを構成する他方の部分とを接着することにより組み立てる接着工程で、該一方の部分と他方の部分とを、ブランクにコーティングされた樹脂を溶着することにより接着する接着工程と、
を有することを特徴とする。
【００１６】
この第６の構成の紙製容器の製造方法においては、ブランクを構成する一方の部分と他方の部分とを接着する際に製函用糊を使用しなくてもよいので、食品を収納した場合でも、食品内に製函用糊が混ざることがなく、また、製函用糊の臭いにより食品の風味を損なうことがない。また、コーティングされた樹脂を溶着することにより接着されているので、乾燥時間を要せず紙製容器の製造時間を短くすることができる。
【００１７】
また、第７には、上記第６の構成において、上記接着工程において、樹脂を加熱して溶解した後に、溶解した樹脂を固化させることにより、樹脂を溶着することを特徴とする。
【００１８】
また、第８には、上記第６又は第７の構成において、上記樹脂が、ポリブチレンテレフタレート又はポリエチレンテレフタレートであることを特徴とする。よって、ポリブチレンテレフタレートやポリエチレンテレフタレートは、融点が高いので、温度の高い食品を収納した場合や電子レンジに使用した場合でも、樹脂が溶融することがなく、よって、食品に混ざったり食品の風味を損なうことがなく、また、接着部分が外れることがない。
【００１９】
また、第９には、上記第６から第８までのいずれかの構成において、上記シート状部材が、両面段ボール材により構成されていることを特徴とする。よって、保温機能を得ることができ、紙製容器５内の食品の保温を行なうことができる。
【発明の効果】
【００２０】
本発明に基づく紙製容器及び紙製容器の製造方法によれば、ブランクを構成する一方の部分と他方の部分とを接着する際に製函用糊を使用しなくてもよいので、食品を収納した場合でも、食品内に製函用糊が混ざるおそれがなく、また、製函用糊の臭いにより食品の風味を損なうことがない。また、コーティングされた樹脂を溶着することにより接着されているので、乾燥時間を要せず紙製容器の製造時間を短くすることができる。
【発明を実施するための最良の形態】
【００２１】
本発明においては、製函用糊を用いることなく製造することがきて食品を収納するのに適していて、かつ、短時間に製造を行うことができる紙製容器とその製造方法を提供するという目的を以下のようにして実現した。
【実施例１】
【００２２】
本発明の実施例１に基づく紙製容器５は、図１、図２に示すように構成され、１枚のシート状部材により形成されたブランク（図２参照）の要所を折り曲げ、組み立てることにより形成されたものであり、底面部１０と、側面部１２と、側面部１４と、蓋フラップ１５と、側面部１６と、側面部１８と、蓋フラップ１９と、接続部２０と、接続部２２と、接続部２４と、接続部２６と、蓋部２８と、蓋掛止片部３０とを有している。シート状部材としては、段ボール（具体的には、両面段ボール）が好適であるが、他に紙板材でもよい。なお、図２において、一点鎖線は、山折り線を示し、実線は、外形線又は切込みを示している。
【００２３】
底面部１０は、長方形状の板状を呈している。側面部１２は、底面部１０の正面側の辺部から折れ線を介して連設され、側面部１４は、底面部１０の右側面側の辺部から折れ線を介して連設され、側面部１６は、底面部１０の背面側の辺部から折れ線を介して連設され、側面部１８は、底面部１０の左側面側の辺部から折れ線を介して連設されている。側面部１２と側面部１４と側面部１６と側面部１８とは、ともに台形形状の板状を呈し、側面部１２と側面部１６は、同大同形状に形成され、側面部１４と側面部１８は、同大同形状に形成されている。
【００２４】
接続部２０と接続部２４は、側面部１２の両側から折れ線を介して連設され、ともに略台形形状を呈していて、接続部２２と接続部２６は、側面部１６の両側から折れ線を介して連設され、ともに略台形形状を呈している。接続部２０の外側の面と接続部２２の外側の面は、側面部１４の内側の面に接着され、接続部２４の外側の面と接続部２６の外側の面は、側面部１８の内側の面に接着されている。
【００２５】
また、蓋フラップ１５は、帯状を呈し、側面部１４の上端から折れ線を介して連設され、蓋フラップ１９は、帯状を呈し、側面部１８の上端から折れ線を介して連設されている。
【００２６】
また、蓋部２８は、略長方形状の板状を呈し、側面部１６の上端から折れ線を介して連設されている。また、蓋掛止片部３０は、略台形形状を呈し、蓋部２８の端部から折れ線を介して連設されている。
【００２７】
この紙製容器５を構成する１枚のブランクは、表側の面と裏側の面にそれぞれ樹脂がコーティングされていて、紙製容器５の組立て状態においては、接続部２０、２２、２４、２６の部分においては、図１の領域Ｒにおいて、樹脂が溶着して接着されることにより、側面部１４と接続部２０、２２とが接着され、側面部１８と接続部２４、２６とが接着されている。つまり、側面部側の樹脂と接続部側の樹脂を、側面部と接続部とが接した状態で加熱により溶解させた後に固化させることにより、側面部と接続部とを溶着している。なお、樹脂を加熱により溶解させる方法としては、熱を加える方法や、高周波を与える方法や、超音波振動を与える方法が考えられる。
【００２８】
また、コーティングされる樹脂としては、熱可塑性樹脂であり、ポリブチレンテレフタレートや、ポリエチレンテレフタレートのように融点が高い（融点が２００℃以上）ものが好ましい。つまり、ポリブチレンテレフタレートは、融点が２１８〜２１９℃とされており、また、ポリエチレンテレフタレートは、融点が２５６℃とされているので、これらの樹脂を使用するのが好ましい。また、ポリトリメチレンテレフタレートとしてもよい。ポリブチレンテレフタレート、ポリエチレンテレフタレート、ポリトリメチレンテレフタレート以外の熱可塑性樹脂でもよい。
【００２９】
なお、互いに接着されている側面部と接続部とは、一方が、ブランクを構成する一方の部分に当たり、他方が、ブランクを構成する他方の部分に当たる。
【００３０】
上記構成の紙製容器５の製造方法について、図３に従い説明すると、まず、段ボールのライナーを構成する紙材に樹脂をコーティングして、樹脂コーティングした紙材を製造する（Ｓ１０）。
【００３１】
その後、該樹脂コーティングした紙材を用いて、段ボール材（シート状部材）を製造する（Ｓ１１、シート状部材形成工程）。つまり、樹脂コーティングした紙材を段ボール材の両面のライナーに使用し、コーティングした側を外側にして段ボール材を形成する。すなわち、図４に示すように、ライナー５２とライナー５４の間に断面略波状の中芯５６が接着して設けられ、ライナー５２の外側の面に樹脂層６０が設けられ、ライナー５４の外側の面に樹脂層６２が設けられた段ボール材５０を製造する。
【００３２】
そして、製造した段ボール材を用いて、図２に示す展開状態のブランクを形成する（Ｓ１２、ブランク形成工程）。つまり、図２に示す外形を有し、折れ線部分に罫線が形成されたブランクを形成する。
【００３３】
その後、展開状態のブランクを折れ線に沿って折り曲げて、接続部２０、２２、２４、２６の部分において、側面部と接続部とを溶着させる（Ｓ１３、接着工程）。つまり、側面部と接続部とが接した状態で、領域Ｒに加熱を行い、側面部の内側の樹脂と接続部の外側の樹脂を溶解させ、その後、加熱を中止して溶解部分を冷却することにより、領域Ｒの部分において、側面部の内側の樹脂と接続部の外側の樹脂を固化させることにより溶着させる。
【００３４】
なお、加熱の方法としては、加熱した端子を圧接させる方法や、高周波を与える方法や、超音波振動子を圧接させる方法が考えられる。加熱した端子を圧接させる方法としては、容器の内側、つまり、側面部１４や側面部１８の内側に台部を配置した後に、加熱した端子を側面部１４や側面部１８の外側から圧接させることにより、側面部と接続部とを溶着させる方法が考えられる。また、超音波振動子を圧接させる方法としては、容器の内側、つまり、側面部１４や側面部１８の内側に台部を配置した後に、超音波振動子を側面部１４や側面部１８の外側から圧接させることにより、高い周波数の機械的振動を樹脂に伝達して樹脂自体を振動させることにより、結果的に加熱により樹脂を熱溶解させ、その後、樹脂を固化させることにより、側面部と接続部とを溶着させる方法が考えられる。
【００３５】
なお、上記の説明では、領域Ｒの部分に対して加熱するとしたが、接続部の領域全体に加熱を行うようにしてもよい。
【００３６】
上記のように製造された紙製容器５においては、製造に際して製函用糊を使用しないので、食品、特に、温度の高い食品を収納した場合でも、食品内に製函用糊が混ざることがなく、また、製函用糊の臭いにより食品の風味を損なうことがない。特に、ポリブチレンテレフタレートやポリエチレンテレフタレートのように融点が高い樹脂をコーティングしているので、温度の高い食品を収納したり、電子レンジにより加熱しても、樹脂が溶融することがなく、食品に混ざったり食品の風味を損なうことがなく、また、側面部と接続部の接続部分が外れるおそれがない。すなわち、食品は通常水分を含むため、電子レンジで加熱しても通常は１００℃以下となり、油を含む食品の場合でも１８０℃以下となるので、ポリブチレンテレフタレートやポリエチレンテレフタレートのように融点が高い樹脂をコーティングすることにより樹脂が溶解するおそれがない。
【００３７】
また、側面部と接続部の接続に際しては、樹脂を加熱した後に固化させて溶着するので、乾燥時間を要せず製造時間を短くすることができる。
【００３８】
また、上記構成の紙製容器５においては、容器を構成するブランクの表側の面と裏側の面が樹脂によりコーティングされているので、耐水、耐油の効果を期待でき、食品を入れた場合でも水や油によりブランクを構成する段ボール材のライナーが弱体化することがなく、容器の強度を保つことができ、例えば、食品の入った紙製容器５を低温で輸送、保管した場合に、水蒸気の結露による水に対して耐水効果を期待でき、容器の強度を保つことができ、食品を収納するのに適している。
【００３９】
また、紙製容器５は、一対のライナーと５２、５４と中芯５６により構成された段ボール材により形成されているので、保温機能を得ることができ、紙製容器５内の食品の保温を行なうことができる。
【実施例２】
【００４０】
次に、本発明の実施例２に基づく紙製容器１０５は、図５、図６に示すように構成され、１枚のシート状部材により形成されたブランク（図６参照）の要所を折り曲げ、組み立てることにより形成されたものであり、底面部１１０と、側面部１１２と、側面部１１４と、側面部１１６と、側面部１１８と、折込み片部１２０と、折込み片部１２２と、折込み片部１２４と、折込み片部１２６と、折込み片部１３０と、折込み片部１３２と、折込み片部１３４と、折込み片部１３６と、蓋フラップ１４０と、蓋フラップ１４２と、蓋フラップ１４４と、蓋フラップ１４６とを有している。シート状部材としては、段ボール（具体的には、両面段ボール）が好適であるが、他に紙板材でもよい。なお、図６において、一点鎖線は、山折り線を示し、二点鎖線は、谷折り線を示し、実線は、外形線又は切込みを示している。
【００４１】
底面部１１０は、長方形状の板状を呈している。側面部１１２は、底面部１１０の正面側の辺部から折れ線を介して連設され、側面部１１４は、底面部１１０の左側面側の辺部から折れ線を介して連設され、側面部１１６は、底面部１１０の背面側の辺部から折れ線を介して連設され、側面部１１８は、底面部１１０の右側面側の辺部から折れ線を介して連設されている。側面部１１２と側面部１１４と側面部１１６と側面部１１８とは、ともに台形形状の板状を呈し、側面部１１２と側面部１１６は、同大同形状に形成され、側面部１１４と側面部１１８は、同大同形状に形成されている。
【００４２】
また、折込み片部１２０は、側面部１１２の側端から折れ線を介して連設され、略三角形状を呈している。また、折込み片部１２２は、側面部１１４の側端から折れ線を介して連設され、略三角形状を呈している。折込み片部１２０と折込み片部１２２とは、底面部１１０の角部から伸びた折れ線を介して連設されている。折込み片部１２２は、側面部１１４の上端にまで伸びているが、折込み片部１２０は、側面部１１２の上端の一部を余して形成され、これにより、折込み片部１２０を折込み片部１２２と側面部１１２の間に挟設しても、折込み片部１２２から折込み片部１２０がはみ出ないように形成されている。
【００４３】
同様に、折込み片部１２４は、側面部１１２の側端から折れ線を介して連設され、略三角形状を呈している。また、折込み片部１２６は、側面部１１８の側端から折れ線を介して連設され、略三角形状を呈している。折込み片部１２４と折込み片部１２６とは、底面部１１０の角部から伸びた折れ線を介して連設されている。折込み片部１２６は、側面部１１８の上端にまで伸びているが、折込み片部１２４は、側面部１１２の上端の一部を余して形成され、これにより、折込み片部１２４を折込み片部１２６と側面部１１２の間に挟設しても、折込み片部１２６から折込み片部１２４がはみ出ないように形成されている。
【００４４】
同様に、折込み片部１３０は、側面部１１６の側端から折れ線を介して連設され、略三角形状を呈している。また、折込み片部１３２は、側面部１１４の側端から折れ線を介して連設され、略三角形状を呈している。折込み片部１３０と折込み片部１３２とは、底面部１１０の角部から伸びた折れ線を介して連設されている。折込み片部１３２は、側面部１１４の上端にまで伸びているが、折込み片部１３０は、側面部１１６の上端の一部を余して形成され、これにより、折込み片部１３０を折込み片部１３２と側面部１１６の間に挟設しても、折込み片部１３２から折込み片部１３０がはみ出ないように形成されている。
【００４５】
同様に、折込み片部１３４は、側面部１１６の側端から折れ線を介して連設され、略三角形状を呈している。また、折込み片部１３６は、側面部１１８の側端から折れ線を介して連設され、略三角形状を呈している。折込み片部１３４と折込み片部１３６とは、底面部１１０の角部から伸びた折れ線を介して連設されている。折込み片部１３６は、側面部１１８の上端にまで伸びているが、折込み片部１３４は、側面部１１６の上端の一部を余して形成され、これにより、折込み片部１３４を折込み片部１３６と側面部１１６の間に挟設しても、折込み片部１３６から折込み片部１３４がはみ出ないように形成されている。
【００４６】
折込み片部１２２は、折込み片部１２０を内側に重ねた状態で、側面部１１２に接着されていて、折込み片部１２６は、折込み片部１２４を内側に重ねた状態で、側面部１１２に接着されていて、折込み片部１３２は、折込み片部１３０を内側に重ねた状態で、側面部１１６に接着されていて、折込み片部１３６は、折込み片部１３４を内側に重ねた状態で、側面部１１６に接着されている。
【００４７】
この紙製容器１０５を構成する１枚のブランクは、表側の面と裏側の面にそれぞれ樹脂がコーティングされていて、紙製容器１０５の組立て状態においては、折込み片部１２２、１２６、１３２、１３６の上端領域において、樹脂が溶着して接着されることにより、折込み片部１２２と側面部１１２が接着され、折込み片部１２６と側面部１１２とが接着され、折込み片部１３２と側面部１１６とが接着され、折込み片部１３６と側面部１１６とが接着されている。例えば、折込み片部１２２と折込み片部１２６においては、図５の領域Ｒにおいて、樹脂が溶着して接着されることにより、折込み片部１２２、１２６と側面部１１２とが接着されている。つまり、側面部側の樹脂と折込み片部側の樹脂を、側面部と折込み片部とが接した状態で加熱により溶解させた後に固化させることにより、側面部と折込み片部とを溶着している。樹脂を加熱により溶解させる方法としては、上記実施例１と同様に、熱を加える方法や、高周波を与える方法や、超音波振動を与える方法が考えられる。
【００４８】
また、コーティングされる樹脂としては、熱可塑性樹脂であり、ポリブチレンテレフタレートや、ポリエチレンテレフタレートのように融点が高い（融点が２００℃以上）ものが好ましい。また、ポリトリメチレンテレフタレートとしてもよい。ポリブチレンテレフタレート、ポリエチレンテレフタレート、ポリトリメチレンテレフタレート以外の熱可塑性樹脂でもよい。
【００４９】
なお、互いに接着されている側面部と折込み片部とは、一方が、ブランクを構成する一方の部分に当たり、他方が、ブランクを構成する他方の部分に当たる。
【００５０】
上記構成の紙製容器１０５の製造方法は、上記実施例１の紙製容器の場合と同様であり、樹脂コーティングした紙材を製造した（Ｓ１０）後に、該樹脂コーティングした紙材を用いて、段ボール材を製造し（Ｓ１１）、その段ボール材を用いて図６に示す展開状態のブランクを形成し（Ｓ１２）、その後、展開状態のブランクを折れ線に沿って折り曲げて、折込み片部１２２、１２６、１３２、１３６の上端部分において、側面部と折込み片部とを溶着させる（Ｓ１３）。つまり、側面部と折込み片部とが接した状態で、折込み片部の上端領域（例えば、領域Ｒ）に加熱を行い、折込み片部の内側の樹脂と側面部の外側の樹脂を溶解させ、その後、加熱を中止して溶解部分を冷却することにより、側面部の内側の樹脂と接続部の外側の樹脂を固化させることにより溶着させる。
【００５１】
なお、加熱の方法としては、上記実施例１と同様に、加熱した端子を圧接させる方法や、高周波を与える方法や、超音波振動子を圧接させる方法が考えられる。加熱した端子を圧接させる方法としては、容器の内側、つまり、側面部１１２や側面部１１６の内側に台部を配置した後に、加熱した端子を側面部１１２や側面部１１４の外側から圧接させることにより、側面部と折込み片部とを溶着させる方法が考えられる。また、超音波振動子を圧接させる方法としては、容器の内側、つまり、側面部１１２や側面部１１６の内側に台部を配置した後に、超音波振動子を側面部１１２や側面部１１６の外側から圧接させることにより、高い周波数の機械的振動を樹脂に伝達して樹脂自体を振動させることにより、結果的に加熱により樹脂を熱溶解させ、その後、樹脂を固化させることにより、側面部と接続部とを溶着させる方法が考えられる。
【００５２】
なお、図５の例では、１つの側面において、２つの領域Ｒにおいて溶着を行うものとして説明したが、２つの領域Ｒを含む１つの領域において樹脂を溶解させて、折込み片部を側面部に溶着させるようにしてもよい。
【００５３】
また、折込み片部の領域全体に加熱を行うようにしてもよい。例えば、折込み片部１２０、１２２については、折込み片部１２２の領域全体に加熱を行い、折込み片部１２０及び折込み片部１２２と側面部１１２とを溶着させるとともに、折込み片部１２０と折込み片部１２２とを溶着させて、折込み片部１２０と折込み片部１２２を側面部１１２に溶着させるようにしてもよい。
【００５４】
上記のように製造された紙製容器１０５においては、製造に際して製函用糊を使用しないので、食品、特に、温度の高い食品を収納した場合でも、食品内に製函用糊が混ざることがなく、また、製函用糊の臭いにより食品の風味を損なうことがない。特に、ポリブチレンテレフタレートやポリエチレンテレフタレートのように融点が高い樹脂をコーティングしているので、温度の高い食品を収納したり、電子レンジにより加熱しても、樹脂が溶融することがなく、側面部と接続部の接続部分が外れるおそれがない。
【００５５】
また、側面部と接続部の接続に際しては、樹脂を加熱した後に固化させて溶着するので、乾燥時間を要せず製造時間を短くすることができる。
【００５６】
また、上記構成の紙製容器１０５においては、容器を構成するブランクの表側の面と裏側の面が樹脂によりコーティングされているので、耐水、耐油の効果を期待でき、食品を入れた場合でも水や油によりブランクを構成する段ボール材のライナーが弱体化することがなく、容器の強度を保つことができ、例えば、食品の入った紙製容器１０５を低温で輸送、保管した場合に、水蒸気の結露による水に対して耐水効果を期待でき、容器の強度を保つことができき、食品を収納するのに適している。
【００５７】
また、紙製容器１０５は、一対のライナーと５２、５４と中芯５６により構成された段ボール材により形成されているので、保温機能を得ることができ、紙製容器１０５内の食品の保温を行なうことができる。
【図面の簡単な説明】
【００５８】
【図１】本発明の実施例１に基づく紙製容器の構成を示す斜視図である。
【図２】本発明の実施例１に基づく紙製容器の構成を示す展開図である。
【図３】本発明の紙製容器の製造工程を示すフローチャートである。
【図４】紙製容器を構成する段ボール材の要部断面図である。
【図５】本発明の実施例２に基づく紙製容器の構成を示す斜視図である。
【図６】本発明の実施例２に基づく紙製容器の構成を示す展開図である。
【符号の説明】
【００５９】
５、１０５  紙製容器
１０、１１０  底面部
１２、１４、１６、１８、１１２、１１４、１１６、１１８  側面部
２０、２２、２４、２６  接続部
１２０、１２２、１２４、１２６、１３０、１３２、１３４、１３６  折込み片部
【図１】
2008201423.tif 000003
【図２】
2008201423.tif 000004
【図３】
2008201423.tif 000005
【図４】
2008201423.tif 000006
【図５】
2008201423.tif 000007
【図６】
2008201423.tif 000008